(57)【特許請求の範囲】
【請求項１】
ベースと、２つの対向側壁とを有し、前記対向側壁の各々は、前端と後端とを有し、１つまたは複数のスロットが前記各側壁を貫通して水平方向に延びており、前記各スロットは、前記対向側壁上の前記スロットと整列し、
前記各スロットの下の対向側壁の間に配置されたガイドレールを有し、
キャップを備え、
前記側壁の前端に隣接して配置されたガイドレールの部分は下方に傾斜している商品展示用ラック。
【請求項２】
前記各スロットは、垂直方向に細長い部分を有する請求項１に記載の商品展示用ラック。
【請求項３】
前記各側壁は、対応する前記スロット内に挿入された商品を安定化するために１つまたは複数のスロットに隣接した安定化装置を備えている請求項２に記載の商品展示用ラック。
【請求項４】
前記安定化装置は、１つまたは複数の突出部を有する請求項３に記載の商品展示用ラック。
【請求項５】
少なくとも１つの対向側壁は、１つまたは複数の切り出し部分を含む請求項１に記載の商品展示用ラック。
【請求項６】
ａ）ベースと、
ｂ）キャップと、
ｃ）２つの対向側壁であって、各々が前端と後端とを有し、１つまたは複数のスロットが前記各側壁を水平方向に延びており、各スロットは前記対向側壁の前記スロットと整列しており、各スロットの下の側壁の間に一つのガイドレールが配置されている２つの対向側壁と、
ｄ）２つの端部とスイングアームを有するベースプレートを有する展示すべき商品のボックスの１つまたは複数の取付ユニットと、を有し、１つのスイングアームが前記ベースプレートの各端部近傍に配置され、前記各スイングアームは、タブ装置を備えた隆起部分を有し、
前記側壁の前端に隣接して配置されたガイドレールの部分は、下方に傾斜している商品展示用ユニット。
【請求項７】
前記各スロットは、垂直方向に細長い部分を有する請求項６に記載の商品展示用ユニット。
【請求項８】
前記各側壁は、対応するスロット内に挿入される商品を安定化する１つまたは複数のスロットに隣接した安定化装置を有する請求項７に記載の商品展示用ユニット。
【請求項９】
前記安定化装置は、１つまたは複数の突出部分を有する請求項８に記載の商品展示用ユニット。
【請求項１０】
前記１つまたは複数の壁は、１つまたは複数の切り出し部分を有する請求項６に記載の商品展示用ユニット。
【請求項１１】
前記タブ装置は、細長い部分と丸い部分を有する請求項９に記載の商品展示用ユニット。
【請求項１２】
前記タブ装置の丸い部分は、くぼみ部分を有する請求項１０に記載の商品展示用ユニット。
【請求項１３】
前記スイングアームは、前記ベースプレートに沿って内側に折り曲げられるか、若しくは前記ベースプレートから離れるように外側に延びる請求項１２に記載の商品展示用ユニット。
【請求項１４】
前記スイングアームは、前記スイングアームが前記ベースプレートから離れて延びるときに外側に偏倚される請求項１３に記載の商品展示用ユニット。
【請求項１５】
商品展示用のボックスを有し、前記ボックスの各側は、前記ボックスの内側側壁と外側側壁との間にポケットが形成されるように内側側壁と外側側壁を有する請求項１４に記載の商品展示用ユニット。
【請求項１６】
前記ボックスは、前記ボックスを前記スイングアームに固定する固定装置を有する請求項１５に記載の商品展示用ユニット。
【請求項１７】
ａ）ｉ）ベースと、
ｉｉ）キャップと、
ｉｉｉ）各々が前端と後端を有する２つの対向側壁であって、各側壁を通って水平方向に延びる１つまたは複数のスロットが対向側壁のスロットと整列し、スロットの下の各側壁と弾性装置との間に１つのガイドレールを配置し、前記側壁の前端に隣接して配置されたガイドレールの部分は、下方に傾斜している対向側壁と、
ｉｖ）２つの端部及び２つのスイングアームを有するベースプレートを有する展示すべき商品のボックスを取付ける１つまたは複数のユニットであって、１つのスイングアームがベースプレートの各端部近傍に配置され、各スイングアームがタブ装置を有する隆起部分を有する１つまたは複数のユニットと、を有する商品展示用ユニットを提供することと、
ｂ）展示すべき商品のボックスを前記スイングアームに取り付けることと、
ｃ）前記タブが前記スロット内に配置されるように、２つの対向側壁の前端と後端との間に形成された開口に展示すべき商品のボックスとスイングアームの組み合わせを挿入することと、
ｄ）前記商品のボックスと前記スイングアームの組み合わせが前記側壁の前端に向かって可動であるように水平方向のスロットにタブをスライドすることと、を有する販売する商品を展示する方法。
【発明の詳細な説明】
【０００１】
【発明の属する技術分野】
本発明は、商品用ボックス、特に複数の小さい商品パッケージを収容するボックスを展示するために使用する商品展示用ラックに関する。
【０００２】
【従来の技術】
一般に、販売する小売り商品を適当に展示する必要があることは知られている。この必要性は、潜在的な消費者に対してきれいにきちんと整列してよく見ることができるように能率的で経済的な方法で商品を展示する小売業者の望みを含むものである。通常、使用される１つのタイプの商品展示用ラックは、ディスプレイの前方の最もよくみることができる部分に商品がスライドするように重力による送りを行う下方に傾斜したトレイを含む。このタイプのラックは、小さい商品か、商品の小さいボックスを展示する状態において特に有効である。しかしながら、商品を展示する能力は、小売り店の出口でスペースが制限されるという現実及びラックに商品を入れる困難性によって制限される。さらに、商品展示用ラックの製造及び組み立てができるだけ効率的で経済的であることが重要である。この組み立てに関しては、ディスプレイを迅速で簡単に組み立てを行うことが重要である。その結果、きれいで、きちんと整列され、商品が見えるように展示し、広い販売スペースを必要とせず、製造及び組み立てを簡単にする商品展示用ラックを提供することが有利である。
【０００３】
既存の多数の特許は、種々の形態の商品展示用ラックを開示している。例えば、Marchに付与された米国特許第4,785,944号は、下方に延びる棚を有する折り畳み可能な商品展示用ラックを示している。Trevaskisに付与された米国特許第5,048,699号は、トレイが水平方向から下方位置に移動することができるボックス販売方法で販売するディスプレイ・スタンドを示している。最後に、Schumに付与された米国特許第5,284,257号は、下方に傾斜した棚状の層を備えたモジュラー型セルフサービス販促商品展示用ラックを示している。公知の商品展示用ラック全体は、種々の特徴を提供するが、比較的小さいパッケージである商品の販売スペース及びきちんとした展示の組み立て及び製造、経済性の容易性を含む要因の組み合わせを提供することはない。その結果、前述した望ましい要因の組み合わせを提供する展示用ラックを説明することは有利である。
【０００４】
【課題を解決するための手段】
本発明は、複数の開口を備えた直立スタンドを有するボックス、特に（はっか菓子のパッケージのような）複数の小さい商品パッケージを含むボックスを展示する商品展示用ラックを開示する。固定装置を備えたスイングアームは、開口の２つの対向側面から延び、展示する商品ボックスと係合するようになっている。このスイングアームは、ラックのスロット内で内側及び外側で可動であり、アームがラックの後ろに隣接するとき、ラックの垂直軸線に垂直か、スイングアームがラックの背後から離れるとき下方に傾斜するように可動である。その結果、係合した商品ボックスは、ラックの背後の高さ位置（組み立て、搬送及び収納用に特に有効な位置）に配置されるか、商品を顕著に展示するようにラックの前方の下方位置に先端が形成される。ボックスは、スイングアームの端部を受け入れ、ラックの所定の位置にボックスを保持し、ラックのボックスの交換を容易にすることができるスロットを含む。さらに、スイングアームのロックタブははスイングアームとボックスを一緒に取り外し可能に固定するようにボックス内の開口に係合可能である。
【０００５】
【発明の実施の形態】
以下、本発明の一実施の形態を図面を参照して詳細に説明する。
図１を参照すると、本発明の商品展示用ラック１０は、２つの対向側壁１１，１２を有し、この対向側壁は、互いに所定の距離、離れて配置される。側壁の各々は、前端１５，１５Ａと、後端１６，１６Ａを有する。好ましい実施の形態において、側壁の前端は、側壁の後ろ側に向かって内側に傾斜している。側壁は、底部がベース１４によって支持され、頭部がキャップ１３によって支持されている。水平方向に細長い一連のスロット１８が各側壁に形成され、各壁のスロット１８は、対向壁のスロットと整列している。４組のスロットを有する商品展示用ラックを示すが、スロットの数は必要に応じて使用され、商品展示用ラック全体は必要に応じて短くするか、高くすることができる。後述するように、スロットは、各スロット内にインサートを配置することができるように垂直方向に十分離れている。側壁の後端に隣接したスロットの端部近傍に配置された各スロットの一部は、スロットの残りの部分より大きい直径を備えた垂直方向に細長い開口１９である。ガイドレール１７は、スロット１８の下の位置で側壁の間のギャップにわたって延びている。ガイドレールは、２つの部分からなり、側壁の後端近傍の部分は、水平であるが、側壁の前端近傍部分は下方に傾斜している。好ましい実施の形態において、側壁の一方または双方に沿ってランダムにか、または所定のパターンに種々の形状の切り出し部分４５が配置されている。この切り出し部分４５は、商品展示用ラックの側面に手または指のグリップを提供するために使用される。
【０００６】
図２及び図７に最もよく示すように、商品展示用ラック内に商品ボックスを取り付ける装置が提供される。好ましくは、取付装置は、ベースプレートの各端部に隣接して配置される２つの対向するスイングアーム３４を備えたベースプレート３０を有する。スイングアームは、ベースプレートの内側にまたはベースプレートから離れるように外側に折り曲げ可能であり、図示するように、ベースプレートから離れるように偏倚されることが好ましい。延長位置において、スイングアームは、互いに外側、すなわち、互いに離れるように偏倚されることが好ましい。スイングアームは、隆起部分３１を含み、この隆起部分３１は、ベースプレートからスイングアームのほぼ中間に外側に延びている。この隆起部分３１は、３つの側面で自由になるように製造され、組み立て中に補助するようにタブを外側に押すばね機構として作用する。隆起部分は、好ましくはタブ３２の形のフック装置を含む。タブ３２は、小径の細長い部分と大径の丸い部分とを有する。直径は、丸い部分が細長い開口１９を通るが、スロット１８を通らないように嵌合するようにするのが好ましいが、タブ３２の細長い部分は、タブがスロット１８を通って延び、その結果、スロット１８内で摺動可能であるように十分に長いことが好ましい。好ましい実施の形態において、フック３５の形態での追加的な取付装置がベースプレートの後ろに配置される。フック３５は、ベースプレートの後ろに平坦に折り曲げられるか、ベースプレートを表面に取り付けるように延びている。
【０００７】
小さい商品ボックス３６を収納することが好ましいボックス３３は、ボックスの各側の２つの壁構成を介してスイングアームを受け入れるようになっている。外壁４０の一部が内壁３７を表すために各側で切り出される。好ましくは、切り出し部分は、スイングアームの隆起部分３１と同じ寸法及び形状である。さらに、ボックスの全長上でボックスの内壁と外壁との間でボックスの両側にスロットがつくられる。各スロットは、スイングアーム３４全体を受け入れることができる。切り出し部分のベースの中間の折り目のボックスの各側に開口３８が配置される。これらの開口３８は各スイングアームのベースに配置されているタブ３９を収容している。スロットにスイングアームを挿入するとき、タブ３９は、ボックスとスイングアームを一緒に固定するために開口３８と係合する。開口とタブは、開口を貫通するタブの部分に直接上方への力を加えることによって外される。
【０００８】
図３及び図４は、搬送位置に挿入されるボックス及びスイングアームを備えた商品展示用ラックを示す。搬送位置を得るために、ボックスとスイングアームの組み合わせが側壁の後端１６，１６Ａの間の開口に挿入され、タブ３２は、垂直方向に細長い開口１９内に配置される。その結果、ボックス３３は、ガイドレール１７の水平方向部分にのり、側壁の前端１５，１５Ａと側壁の後端１６，１６Ａとの双方を越えて延びるような水平位置にある。図３及び図４に示す搬送位置は、収納または搬送に適した安定ユニットを提供する。
【０００９】
図５及び図６は、分配位置に挿入されたボックスを備えた商品展示用ラックを示している。この位置において、タブは、側壁の細長いスロット１８の前端１５，１５Ａに隣接した水平方向に部分に配置されている。ボックスの全長に関するタブの相対位置によって、それが下方に傾斜し、ガイドレールの角度部分にわずかにのるように外側に曲がるように、ボックス及び商品の重心が先端に移動する。適当な重心化を達成するために、ボックスの後方からボックスの全長のほぼ１／３の点に回転点が配置されることが好ましい。分配位置において、商品は、潜在的な顧客によってさらに容易に見えるか、取りはずされるようにボックス３３の前端に向かってスライドする。さらに、商品が新しく取り外されると、交換される商品は、スライドしボックスの前端の場所に移動する。タブ３２は、ボックス及びスイングアームユニットがディスプレイの前方から後方に、またはその逆に移動されるように細長い水平方向のスロット１８の長さに沿ってスライドする。（図３及び図４に示すように）突出部４１は、それが分配位置にあるときボックスが搬送位置に戻らない装置を提供するために各水平方向のスロットの底部に沿って配置されることが好ましい。前方位置にあるボックスの安定化の補助となるように安定化装置が設けられる。好ましくは、安定化装置は、それが前方位置にあるとき、ボックスに安定化を安定化を提供するようにピン４２の形で提供される。このボックスが分配位置にあるとき安定を達成するために、まず、タブ３２は、突出部４１にスナップ嵌合され、（図２及び図４に示す）くぼみ部分４３はピン４２に係合して緊密な嵌合キットを提供する。
【００１０】
本商品展示用ラックの設置は、容易に達成することができる。展示すべき商品は、ボックス３３内に配置される小さいパッケージ３６内にあることが好ましい。この種の商品展示用ラックに特に助けとなる商品は、はっか菓子、ガム、キャンディ、または小さいボックスまたはユニットで販売される他の商品である。上述したように、ボックス３３は、スイングアームに取り付けられ、この組み合わせは、好ましくは側壁の後方端部１６，１６Ａの間の開口を通してラックに挿入される。タブ３２は、細長い開口１９に係合され、組み合わせは、潜在的な顧客によって容易に見ることができるようにスロット１８に沿って前方に角度を有する位置にスライドされる。組み立ての他の方法においては、最初はスイングアーム単独でラックに挿入し、ボックスをスイングアームに取り付けるようにしてもよい。再組み立てのために、組み立て部分がスプレイ・ラックから外され、新しいボックスをスイングアームに取付けるか、または、商品の小さいパッケージが供給部分がなくなるか、少なくなったときに組み合わせ部分を大きなボックス３３に簡単に置き換えることができる。また、商品展示用ラック、ボックス及びスイングアームの製造は、容易に達成することができる。商品展示用ラックは、単一、一体部品として、または互いに取り付けられるモジュラー型部分としてユニットを鋳造することによって製造される。このボックスは、スロットを各側につくるような方法で簡単に厚紙を折り曲げることによって製造される。最後に、またスイングアームは、成形処理を通して製造される。
【００１１】
図８は、本発明の他の実施の形態を示す。この実施の形態において、フック３５は、スイングアームとボックスの組み合わせが商品展示用ラックの代わりに所望の表面に取り付けられるようにベースプレート３０から延長される。フック３５は、所望の表面５０の外側に延び、この表面５０に係合し、商品展示用ラックを使用することなく表面からボックスを展示することができる。
【００１２】
図９は、本発明の他の実施の形態を示す。この実施の形態において、単一の係合アーム７１は、ベースプレート７０から外側に延びる。係合アームは、アームとボックスを取り付けるためにボックス３３のスロット７５にスライドする。ボックスと係合アームとを緊密に取り付けるためにクリップ７３の形の固定装置が係合アーム７１上に設けられる。好ましい実施の形態において、スイングアーム７２は、ベースプレートがそれらの外側に沿ってスロットを受け入れるようにスイングアーム７２が設けられる。
【００１３】
本発明の好ましい実施の形態を説明したが、本発明から逸脱することなく、本発明の改造変形を行うことができることは当業者には明らかであろう。本発明の範囲内にあるこのような変形改造は権利請求することを意図している。
【図面の簡単な説明】
【図１】  スイングアームと、除去されたボックスとを備えた商品展示用ラックの斜視図である。
【図２】  スイングアーム及びボックスの斜視図である。
【図３】  ボックスが後方位置にある商品展示用ラックの側面図である。
【図４】  ボックスが後方の位置にある商品展示用ラックの側面図の一部の拡大図である。
【図５】  ボックスが前方位置にある状態の商品展示用ラックの側面図である。
【図６】  ボックスが前方位置にある状態のディスププレイラックの側面図の一部の拡大図である。
【図７】  商品展示用ラックのスイングアームの正面図である。
【図８】  独立したディスプレイスタンドに取り付けられたスイングアームの側面図である。
【図９】  ボックス取付装置の他の実施の形態の斜視図である。
【符号の説明】
１０  商品展示用ラック
１１，１２  側壁
１３  キャップ
１４  ベース
１５，１５Ａ  前端
１６，１６Ａ  後端
１７  ガイドレール
１８  スロット
１９  開口
３２  タブ
３６  ボックス
３７  内壁
４５  切り出し部分
【図１】
0004091741.tif 000002
【図２】
0004091741.tif 000003
【図３】
0004091741.tif 000004
【図４】
0004091741.tif 000005
【図５】
0004091741.tif 000006
【図６】
0004091741.tif 000007
【図７】
0004091741.tif 000008
【図８】
0004091741.tif 000009
【図９】
0004091741.tif 000010